(57)【要約】【課題】撮像素子を有するカメラ本体と、カメラ本体に着脱可能に取り付けられる交換レンズとを備える撮像装置において、交換レンズの径方向で小型化することが可能な撮像装置を提供する。【解決手段】撮像装置１では、カメラ本体２は、交換レンズ３とカメラ本体２とを電気的に接続するための複数の本体側接続端子７を備え、交換レンズ３は、複数の本体側接続端子７のそれぞれに接触する複数のレンズ側接続端子１７を備えている。本体側接続端子７およびレンズ側接続端子１７は、交換レンズ３の周方向に直線状または円弧状に配列されるとともに、直線状または円弧状に配列される本体側接続端子７およびレンズ側接続端子１７は、交換レンズ３の径方向において２列または３列で配置されている。【選択図】図１
2018056075.tif 000002
【特許請求の範囲】
【請求項１】
撮像素子を有するカメラ本体と、前記カメラ本体に着脱可能に取り付けられる交換レンズとを備え、
前記交換レンズの光軸方向において前記カメラ本体部に対して前記交換レンズが配置される側を被写体側とし、前記被写体側の反対側を反被写体側とすると、
前記カメラ本体は、前記交換レンズと前記カメラ本体とを電気的に接続するための複数の本体側接続端子を備え、
前記交換レンズは、複数の前記本体側接続端子のそれぞれに接触する複数のレンズ側接続端子を備え、
複数の前記本体側接続端子の被写体側端は、前記カメラ本体の前記被写体側の面に配置され、
複数の前記レンズ側接続端子の反被写体側端は、前記交換レンズの前記反被写体側の面に配置され、
前記本体側接続端子および前記レンズ側接続端子は、前記交換レンズの周方向に直線状または円弧状に配列されるとともに、直線状または円弧状に配列される前記本体側接続端子および前記レンズ側接続端子は、前記交換レンズの径方向において２列または３列で配置されていることを特徴とする撮像装置。
【請求項２】
直線状または円弧状に配列される前記本体側接続端子および前記レンズ側接続端子は、前記径方向において２列で配置されていることを特徴とする請求項１記載の撮像装置。
【請求項３】
直線状または円弧状に配列される前記本体側接続端子および前記レンズ側接続端子の１列分の数は、前記径方向の内側に向かうにしたがって少なくなっていることを特徴とする請求項１記載の撮像装置。
【請求項４】
前記本体側接続端子および前記レンズ側接続端子は、前記周方向に円弧状に配列されていることを特徴とする請求項１記載の撮像装置。
【請求項５】
前記光軸方向から見たときの前記撮像素子の形状は、長方形状となっており、
前記光軸方向に直交する方向であって長方形状に形成される前記撮像素子の短辺に平行な方向の一方側を第１方向側とすると、
複数の前記本体側接続端子および複数の前記レンズ側接続端子は、前記光軸方向から見たときに、長方形状に形成される前記撮像素子の前記第１方向側の長辺よりも前記第１方向側に配置されていることを特徴とする請求項１から４のいずれかに記載の撮像装置。
【請求項６】
前記光軸方向に直交する所定の方向を第２方向とすると、
前記撮像素子は、前記光軸方向から見たときに、複数の前記本体側接続端子よりも前記第２方向の一方側に配置され、
前記撮像素子の前記被写体側の面は、前記本体側接続端子の前記反被写体側端よりも前記被写体側に配置されていることを特徴とする請求項１から４のいずれかに記載の撮像装置。
【請求項７】
前記光軸方向から見たときの前記本体側接続端子の形状は、円形状または矩形状となっており、
前記光軸方向から見たときの前記本体側接続端子の形状が円形状となっている場合には、前記光軸方向から見たときに、前記周方向で隣り合う前記本体側接続端子の前記周方向の間隔は、前記本体側接続端子の直径よりも小さくなっており、
前記光軸方向から見たときの前記本体側接続端子の形状が矩形状となっている場合には、前記光軸方向から見たときに、前記周方向で隣り合う前記本体側接続端子の前記周方向の間隔は、前記本体側接続端子の対角線の長さよりも小さくなっていることを特徴とする請求項１から４のいずれかに記載の撮像装置。
【請求項８】
前記光軸方向から見たときの前記レンズ側接続端子の形状は、円形状または矩形状となっており、
前記光軸方向から見たときの前記レンズ側接続端子の形状が円形状となっている場合には、前記光軸方向から見たときに、前記周方向で隣り合う前記レンズ側接続端子の前記周方向の間隔は、前記レンズ側接続端子の直径よりも小さくなっており、
前記光軸方向から見たときの前記レンズ側接続端子の形状が矩形状となっている場合には、前記光軸方向から見たときに、前記周方向で隣り合う前記レンズ側接続端子の前記周方向の間隔は、前記レンズ側接続端子の対角線の長さよりも小さくなっていることを特徴とする請求項１から４のいずれかに記載の撮像装置。
【請求項９】
前記本体側接続端子は、前記周方向に円弧状に配列されるとともに、円弧状に配列される前記本体側接続端子は、前記径方向において２列で配置され、
前記光軸方向から見たときの前記本体側接続端子の形状は、円形状または矩形状となっており、
前記光軸方向から見たときの前記本体側接続端子の形状が円形状となっている場合には、前記光軸方向から見たときに、前記径方向の内側で円弧状に配列される複数の前記本体側接続端子の前記径方向の外側端に接する第１の仮想円弧と、前記径方向の外側で円弧状に配列される複数の前記本体側接続端子の前記径方向の内側端に接する第２の仮想円弧との前記径方向の距離は、前記本体側接続端子の直径よりも短くなっており、
前記光軸方向から見たときの前記本体側接続端子の形状が矩形状となっている場合には、前記光軸方向から見たときに、前記径方向の内側で円弧状に配列される複数の前記本体側接続端子の、前記径方向の外側に配置される２個の角部は、前記交換レンズの光軸を曲率中心とする第３の仮想円弧上に配置され、前記径方向の外側で円弧状に配列される複数の前記本体側接続端子の、前記径方向の内側に配置される２個の角部は、前記交換レンズの光軸を曲率中心とする第４の仮想円弧上に配置されるとともに、前記第３の仮想円弧と前記第４の仮想円弧との前記径方向の距離は、前記本体側接続端子の対角線の長さよりも短くなっていることを特徴とする請求項１から４のいずれかに記載の撮像装置。
【請求項１０】
前記レンズ側接続端子は、前記周方向に円弧状に配列されるとともに、円弧状に配列される前記レンズ側接続端子は、前記径方向において２列で配置され、
前記光軸方向から見たときの前記レンズ側接続端子の形状は、円形状または矩形状となっており、
前記光軸方向から見たときの前記レンズ側接続端子の形状が円形状となっている場合には、前記光軸方向から見たときに、前記径方向の内側で円弧状に配列される複数の前記レンズ側接続端子の前記径方向の外側端に接する第５の仮想円弧と、前記径方向の外側で円弧状に配列される複数の前記レンズ側接続端子の前記径方向の内側端に接する第６の仮想円弧との前記径方向の距離は、前記レンズ側接続端子の直径よりも短くなっており、
前記光軸方向から見たときの前記レンズ側接続端子の形状が矩形状となっている場合には、前記光軸方向から見たときに、前記径方向の内側で円弧状に配列される複数の前記レンズ側接続端子の、前記径方向の外側に配置される２個の角部は、前記交換レンズの光軸を曲率中心とする第７の仮想円弧上に配置され、前記径方向の外側で円弧状に配列される複数の前記レンズ側接続端子の、前記径方向の内側に配置される２個の角部は、前記交換レンズの光軸を曲率中心とする第８の仮想円弧上に配置されるとともに、前記第７の仮想円弧と前記第８の仮想円弧との前記径方向の距離は、前記レンズ側接続端子の対角線の長さよりも短くなっていることを特徴とする請求項１から４のいずれかに記載の撮像装置。
【発明の詳細な説明】
【技術分野】
【０００１】
本発明は、カメラ本体に着脱可能に取り付けられる交換レンズを備える撮像装置に関する。
【背景技術】
【０００２】
従来、撮像素子を有するカメラボディと、カメラボディに着脱可能な交換レンズとから構成されるカメラが知られている（たとえば、特許文献１参照）。特許文献１に記載のカメラでは、カメラボディは、交換レンズが着脱可能に取り付けられるボディ側マウント部を備えている。ボディ側マウント部の近傍には、１２個のボディ側接続端子を保持する保持部が形成されている。１２個のボディ側接続端子は、交換レンズの周方向に円弧状に１列で配置されている。【０００３】
また、特許文献１に記載のカメラでは、交換レンズは、ボディ側マウント部に取り付けられるレンズ側マウント部を備えている。レンズ側マウント部の近傍には、１２個のレンズ側接続端子を保持する保持部が形成されている。１２個のレンズ側接続端子は、交換レンズの周方向に円弧状に千鳥配置されている。特許文献１に記載のカメラでは、カメラボディに交換レンズが装着されると、１２個のボディ側接続端子と１２個のレンズ側接続端子とが電気的かつ物理的に接続される。
【先行技術文献】
【特許文献】
【０００４】
【特許文献１】特許第５３１６６８４号公報
【発明の概要】
【発明が解決しようとする課題】
【０００５】
特許文献１に記載のカメラを交換レンズの径方向で小型化する場合には、１２個のボディ側接続端子およびレンズ側接続端子をより径方向の内側に配置する必要がある。しかしながら、特許文献１に記載のカメラでは、１２個のボディ側接続端子およびレンズ側接続端子をより径方向の内側に配置しようとしても、撮像素子を小さくしないと、交換レンズの光軸方向から見たときに、矩形状に形成される撮像素子の角部と、ボディ側接続端子およびレンズ側接続端子とが重なってしまい、ボディ側接続端子およびレンズ側接続端子が配置できなくなる。あるいは、特許文献１に記載のカメラでは、撮像素子の大きさが大きくなると、カメラを径方向で小型化することが困難になる。【０００６】
そこで、本発明の課題は、撮像素子を有するカメラ本体と、カメラ本体に着脱可能に取り付けられる交換レンズとを備える撮像装置において、交換レンズの径方向で小型化することが可能な撮像装置を提供することにある。
【課題を解決するための手段】
【０００７】
上記の課題を解決するため、本発明の撮像装置は、撮像素子を有するカメラ本体と、カメラ本体に着脱可能に取り付けられる交換レンズとを備え、交換レンズの光軸方向においてカメラ本体部に対して交換レンズが配置される側を被写体側とし、被写体側の反対側を反被写体側とすると、カメラ本体は、交換レンズとカメラ本体とを電気的に接続するための複数の本体側接続端子を備え、交換レンズは、複数の本体側接続端子のそれぞれに接触する複数のレンズ側接続端子を備え、複数の本体側接続端子の被写体側端は、カメラ本体の被写体側の面に配置され、複数のレンズ側接続端子の反被写体側端は、交換レンズの反被写体側の面に配置され、本体側接続端子およびレンズ側接続端子は、交換レンズの周方向に直線状または円弧状に配列されるとともに、直線状または円弧状に配列される本体側接続端子およびレンズ側接続端子は、交換レンズの径方向において２列または３列で配置されていることを特徴とする。【０００８】
本発明の撮像装置では、交換レンズの周方向に直線状または円弧状に配列される本体側接続端子およびレンズ側接続端子が交換レンズの径方向において２列または３列で配置されている。そのため、本発明では、本体側接続端子およびレンズ側接続端子が交換レンズの周方向に直線状または円弧状に１列のみで配列されている場合と比較して、交換レンズの周方向に配列される本体側接続端子およびレンズ側接続端子の数を少なくして、交換レンズの周方向における本体側接続端子およびレンズ側接続端子の配列長さを短くすることが可能になる。【０００９】
したがって、本発明では、撮像素子の大きさが比較的大きくても、交換レンズの光軸方向から見たときに、矩形状に形成される撮像素子の角部と、本体側接続端子およびレンズ側接続端子とが重ならないように、複数の本体側接続端子および複数のレンズ側接続端子を、より交換レンズの径方向の内側に配置することが可能になる。その結果、本発明では、撮像素子の大きさが比較的大きくても、交換レンズの径方向で撮像装置を小型化することが可能になる。【００１０】
本発明において、直線状または円弧状に配列される本体側接続端子およびレンズ側接続端子は、径方向において２列で配置されていることが好ましい。このように構成すると、直線状または円弧状に配列される本体側接続端子およびレンズ側接続端子が径方向において３列で配置されている場合と比較して、交換レンズの径方向で撮像装置をより小型化しやすくなる。【００１１】
本発明において、直線状または円弧状に配列される本体側接続端子およびレンズ側接続端子の１列分の数は、径方向の内側に向かうにしたがって少なくなっていることが好ましい。このように構成すると、複数の本体側接続端子および複数のレンズ側接続端子を、より交換レンズの径方向の内側に配置しやすくなる。【００１２】
本発明において、本体側接続端子およびレンズ側接続端子は、周方向に円弧状に配列されていることが好ましい。このように構成すると、本体側接続端子およびレンズ側接続端子が周方向に直線状に配列されている場合と比較して、交換レンズの径方向で撮像装置をより小型化しやすくなる。また、このように構成すると、本体側接続端子およびレンズ側接続端子が周方向に直線状に配列されている場合と比較して、カメラ本体に交換レンズを着脱する際に本体側接続端子の保持部またはレンズ側接続端子の保持部に生じる擦り傷が目立ちにくくなる。【００１３】
本発明において、光軸方向から見たときの撮像素子の形状は、長方形状となっており、光軸方向に直交する方向であって長方形状に形成される撮像素子の短辺に平行な方向の一方側を第１方向側とすると、複数の本体側接続端子および複数のレンズ側接続端子は、光軸方向から見たときに、長方形状に形成される撮像素子の第１方向側の長辺よりも第１方向側に配置されていることが好ましい。このように構成すると、複数の本体側接続端子および複数のレンズ側接続端子が、光軸方向から見たときに、長方形状に形成される撮像素子の一方側の短辺の外側に配置されている場合と比較して、交換レンズの径方向で撮像装置をより小型化しやすくなる。【００１４】
本発明において、光軸方向に直交する所定の方向を第２方向とすると、撮像素子は、光軸方向から見たときに、複数の本体側接続端子よりも第２方向の一方側に配置され、撮像素子の被写体側の面は、本体側接続端子の反被写体側端よりも被写体側に配置されていることが好ましい。このように構成すると、光軸方向において撮像装置を小型化することが可能になる。【００１５】
本発明において、光軸方向から見たときの本体側接続端子の形状は、円形状または矩形状となっており、光軸方向から見たときの本体側接続端子の形状が円形状となっている場合には、光軸方向から見たときに、周方向で隣り合う本体側接続端子の周方向の間隔は、本体側接続端子の直径よりも小さくなっており、光軸方向から見たときの本体側接続端子の形状が矩形状となっている場合には、光軸方向から見たときに、周方向で隣り合う本体側接続端子の周方向の間隔は、本体側接続端子の対角線の長さよりも小さくなっていることが好ましい。【００１６】
また、本発明において、光軸方向から見たときのレンズ側接続端子の形状は、円形状または矩形状となっており、光軸方向から見たときのレンズ側接続端子の形状が円形状となっている場合には、光軸方向から見たときに、周方向で隣り合うレンズ側接続端子の周方向の間隔は、レンズ側接続端子の直径よりも小さくなっており、光軸方向から見たときのレンズ側接続端子の形状が矩形状となっている場合には、光軸方向から見たときに、周方向で隣り合うレンズ側接続端子の周方向の間隔は、レンズ側接続端子の対角線の長さよりも小さくなっていることが好ましい。【００１７】
このように構成すると、交換レンズの周方向における本体側接続端子およびレンズ側接続端子の配列長さをより短くすることが可能になる。したがって、交換レンズの光軸方向から見たときに、矩形状に形成される撮像素子の角部と、本体側接続端子およびレンズ側接続端子とが重ならないように、複数の本体側接続端子および複数のレンズ側接続端子を、より交換レンズの径方向の内側に配置しやすくなる。【００１８】
本発明において、本体側接続端子は、周方向に円弧状に配列されるとともに、円弧状に配列される本体側接続端子は、径方向において２列で配置され、光軸方向から見たときの本体側接続端子の形状は、円形状または矩形状となっており、光軸方向から見たときの本体側接続端子の形状が円形状となっている場合には、光軸方向から見たときに、径方向の内側で円弧状に配列される複数の本体側接続端子の径方向の外側端に接する第１の仮想円弧と、径方向の外側で円弧状に配列される複数の本体側接続端子の径方向の内側端に接する第２の仮想円弧との径方向の距離は、本体側接続端子の直径よりも短くなっており、光軸方向から見たときの本体側接続端子の形状が矩形状となっている場合には、光軸方向から見たときに、径方向の内側で円弧状に配列される複数の本体側接続端子の、径方向の外側に配置される２個の角部は、交換レンズの光軸を曲率中心とする第３の仮想円弧上に配置され、径方向の外側で円弧状に配列される複数の本体側接続端子の、径方向の内側に配置される２個の角部は、交換レンズの光軸を曲率中心とする第４の仮想円弧上に配置されるとともに、第３の仮想円弧と第４の仮想円弧との径方向の距離は、本体側接続端子の対角線の長さよりも短くなっていることが好ましい。このように構成すると、交換レンズの径方向で撮像装置をより小型化しやすくなる。【００１９】
また、本発明において、レンズ側接続端子は、周方向に円弧状に配列されるとともに、円弧状に配列されるレンズ側接続端子は、径方向において２列で配置され、光軸方向から見たときのレンズ側接続端子の形状は、円形状または矩形状となっており、光軸方向から見たときのレンズ側接続端子の形状が円形状となっている場合には、光軸方向から見たときに、径方向の内側で円弧状に配列される複数のレンズ側接続端子の径方向の外側端に接する第５の仮想円弧と、径方向の外側で円弧状に配列される複数のレンズ側接続端子の径方向の内側端に接する第６の仮想円弧との径方向の距離は、レンズ側接続端子の直径よりも短くなっており、光軸方向から見たときのレンズ側接続端子の形状が矩形状となっている場合には、光軸方向から見たときに、径方向の内側で円弧状に配列される複数のレンズ側接続端子の、径方向の外側に配置される２個の角部は、交換レンズの光軸を曲率中心とする第７の仮想円弧上に配置され、径方向の外側で円弧状に配列される複数のレンズ側接続端子の、径方向の内側に配置される２個の角部は、交換レンズの光軸を曲率中心とする第８の仮想円弧上に配置されるとともに、第７の仮想円弧と第８の仮想円弧との径方向の距離は、レンズ側接続端子の対角線の長さよりも短くなっていることが好ましい。このように構成すると、交換レンズの径方向で撮像装置をより小型化しやすくなる。
【発明の効果】
【００２０】
以上のように、本発明では、撮像素子を有するカメラ本体と、カメラ本体に着脱可能に取り付けられる交換レンズとを備える撮像装置において、交換レンズの径方向で撮像装置を小型化することが可能になる。
【図面の簡単な説明】
【００２１】
【図１】本発明の実施の形態にかかる撮像装置の分解斜視断面図である。
【図２】図１に示すカメラ本体の斜視図である。
【図３】図１に示す交換レンズの斜視図である。
【図４】図２に示す本体側接続端子の配置を説明するための図である。
【図５】図３に示すレンズ側接続端子の配置を説明するための図である。
【図６】本発明の他の実施の形態にかかる本体側接続端子の形状および配置を説明するための図である。
【図７】本発明の他の実施の形態にかかるレンズ側接続端子の形状および配置を説明するための図である。
【発明を実施するための形態】
【００２２】
以下、図面を参照しながら、本発明の実施の形態を説明する。
【００２３】
（撮像装置の全体構成）
図１は、本発明の実施の形態にかかる撮像装置１の分解斜視断面図である。図２は、図１に示すカメラ本体２の斜視図である。図３は、図１に示す交換レンズ３の斜視図である。
【００２４】
本形態の撮像装置１は、カメラ本体２と、カメラ本体２に着脱可能に取り付けられる交換レンズ３とを備えている。本形態では、交換レンズ３は、バヨネット式の接続機構によってカメラ本体２に着脱可能に取り付けられている。また、交換レンズ３は、全体として略円柱状に形成されており、略円柱状に形成される交換レンズ３の軸方向と交換レンズ３の光軸Ｌの方向（光軸方向）とが一致している。
【００２５】
交換レンズ３の光軸方向の一方側を被写体側とし、被写体側の反対側（光軸方向の他方側）を反被写体側（結像側）とすると、交換レンズ３は、カメラ本体２に対して被写体側に配置され、カメラ本体２は、交換レンズ３に対しては反被写体側に配置されている。以下の説明では、被写体側（図１等のＺ１方向側）を「前」側とし、反被写体側（図１等のＺ２方向側）を「後（後ろ）」側とする。また、以下の説明では、交換レンズ３の径方向（すなわち、光軸Ｌと直交する方向）を「径方向」とし、交換レンズ３の周方向（円周方向、すなわち、交換レンズ３の軸を中心とする周方向）を「周方向」とする。
【００２６】
カメラ本体２は、Ｃ−ＭＯＳイメージセンサ等の撮像素子５と、撮像素子５が実装される回路基板６と、交換レンズ３とカメラ本体２とを電気的に接続するための複数の本体側接続端子７（以下、「接続端子７」とする）と、これらの部材を保持するフレーム８とを備えている。回路基板６は、平板状に形成されたリジッド基板であり、回路基板６の厚さ方向と前後方向とが一致するように配置されている。撮像素子５は、長方形の平板状に形成されており、撮像素子５の厚さ方向と前後方向とが一致するように配置されている。すなわち、前後方向（光軸方向）から見たときの撮像素子５の形状は、長方形状となっている。撮像素子５は、回路基板６の前面に実装されている。
【００２７】
以下の説明では、前後方向に直交する方向であって、長方形状に形成される撮像素子５の短辺に平行な方向（図１等のＹ方向）を上下方向とする。また、上下方向のうちの、図１等のＹ１方向側を「上」側とし、その反対側である図１等のＹ２方向側を「下」側とする。本形態の下側（Ｙ２方向側）は、光軸方向に直交する方向であって撮像素子５の短辺に平行な方向の一方側である第１方向側となっている。また、本形態の上下方向（Ｙ方向）は、光軸方向に直交する所定の第２方向となっている。
【００２８】
フレーム８は、全体として、軸方向の長さが短い扁平な略有底円筒状に形成されており、フレーム８の軸方向と前後方向とが一致するように配置されている。略有底円筒状に形成されるフレーム８の底部８ａは、フレーム８の筒部８ｂを前側の空間と後ろ側の空間とに仕切っている。底部８ａは、底部８ａの中央部分を構成する基板保持部材９と、基板保持部材９の外周側に配置される底面部材１０と、複数の接続端子７を保持する端子保持部材１１とを備えている。底面部材１０には、基板保持部材９が内側に配置される開口１０ａが形成されている。
【００２９】
基板保持部材９は、扁平な四角筒状の筒部９ａと、長方形の枠状に形成され筒部９ａの前端に繋がる前面部９ｂとを備えている。前面部９ｂの外周端は、筒部９ａの前端に繋がっている。回路基板６は、回路基板６の前面が筒部９ａの後端面に接触した状態で基板保持部材９に固定されている。撮像素子５は、筒部９ａの内周側に配置されており、前面部９ｂの後ろ側に配置されている。また、前面部９ｂには、撮像素子５の撮像面を覆うフィルタ１３が固定されている。フィルタ１３は、たとえば、ローパスフィルタやＩＲカットフィルタである。撮像素子５の撮像面は、前面部９ｂの中央部分に形成された開口部からフィルタ１３越しに露出している。撮像素子５の撮像面には、交換レンズ３を透過した光線が入射可能になっている。
【００３０】
端子保持部材１１には、接続端子７が配置される複数の貫通穴が形成されている。複数の貫通穴は、前後方向で端子保持部材１１を貫通している。端子保持部材１１は、基板保持部材９よりも下側に配置されている。底面部材１０には、端子保持部材１１が配置される貫通穴が形成されている。この貫通穴は、前後方向で底面部材１０を貫通している。端子保持部材１１は、この貫通穴に挿入された状態で底面部材１０に固定されている。
【００３１】
接続端子７は、導電性を有する導線性材料で形成されるとともに、略円柱状に形成されている。複数の接続端子７は、略円柱状に形成される接続端子７の軸方向と前後方向とが一致するように端子保持部材１１に保持されており、前後方向（光軸方向）から見たときの接続端子７の形状は、円形状となっている。また、複数の接続端子７は、前後方向への移動が可能となるように端子保持部材１１の貫通穴に挿入されて保持されている。接続端子７は、図示を省略するバネによって前側に付勢されている。複数の接続端子７の前端（被写体側端）は、フレーム８の底部８ａの前面に配置されている。すなわち、複数の接続端子７の前端は、カメラ本体２の、交換レンズ３に臨む前面（被写体側の面）である底部８ａの前面に配置されている。
【００３２】
また、フレーム８の筒部８ｂは、バヨネット爪１２ａが形成される円環状のリング部材１２を備えている。リング部材１２は、筒部８ｂの前端部分を構成している。バヨネット爪１２ａは、径方向の内側へ突出している。また、バヨネット爪１２ａは、周方向において所定の間隔をあけた状態で３箇所に形成されている。３個のバヨネット爪１２ａのうちの少なくとも１個のバヨネット爪１２ａの周方向における幅は、他のバヨネット爪１２ａの周方向における幅と異なっている。
【００３３】
交換レンズ３は、複数の光学レンズ１６と、交換レンズ３とカメラ本体２とを電気的に接続するための複数のレンズ側接続端子１７（以下、「接続端子１７」とする）と、複数の光学レンズ１６および複数の接続端子１７を保持するレンズ鏡筒１８とを備えている。図１では、複数の光学レンズ１６のうちの１枚の光学レンズ１６のみが図示されている。
【００３４】
また、交換レンズ３は、複数の光学レンズ１６の後ろ側に配置されるフォーカスレンズ１９と、フォーカスレンズ１９を前後方向（光軸方向）へ移動させる焦点調整機構（図示省略）とを備えている。焦点調整機構は、モータ、リードスクリューおよびナット部材等を備えており、レンズ鏡筒１８の内部に配置されている。また、焦点調整機構は、フォーカスレンズ１９の上側に配置されている。なお、レンズ鏡筒１８の内部には、図示を省略するシャッタおよびシャッタの駆動機構も配置されている。
【００３５】
レンズ鏡筒１８は、バヨネット爪２０ａが形成される円環状のリング部材２０と、リング部材２０の内周側に配置されるカバー部材２１と、複数の接続端子１７を保持する端子保持部材２２とを備えている。リング部材２０、カバー部材２１および端子保持部材２２は、レンズ鏡筒１８の後端側部分を構成している。バヨネット爪２０ａは、径方向の外側へ突出している。また、バヨネット爪２０ａは、周方向において所定の間隔をあけた状態で３箇所に形成されている。３個のバヨネット爪２０ａのうちの少なくとも１個のバヨネット爪２０ａの周方向における幅は、他のバヨネット爪２０ａの周方向における幅と異なっている。本形態では、バヨネット爪１２ａとバヨネット爪２０ａとが係合すると、カメラ本体２に交換レンズ３が取り付けられる。
【００３６】
端子保持部材２２は、円弧状かつ平板状に形成されており、端子保持部材２２の厚さ方向と前後方向とが一致するように配置されている。端子保持部材２２には、接続端子１７が配置される複数の貫通穴が形成されている。複数の貫通穴は、前後方向で端子保持部材２２を貫通している。接続端子１７は、導電性を有する導電性材料で形成されるとともに、略円柱状に形成されている。複数の接続端子１７は、略円柱状に形成される接続端子１７の軸方向と前後方向とが一致するように端子保持部材２２に保持されており、前後方向（光軸方向）から見たときの接続端子１７の形状は、円形状となっている。複数の接続端子１７は、端子保持部材２２の貫通穴に挿入されて固定されている。複数の接続端子１７の後端（反被写体側端）は、レンズ鏡筒１８の後端側部分の後面に配置されている。すなわち、複数の接続端子１７の後端は、交換レンズ３の、カメラ本体２に臨む後面（反被写体側の面）であるレンズ鏡筒１８の後端側部分の後面に配置されている。カメラ本体２の被写体側の面と交換レンズ３の反被写体側の面とは、カメラ本体２に交換レンズ３を取り付けた際に互いに対向する面である。
【００３７】
カバー部材２１は、略円環状かつ平板状に形成されており、カバー部材２１の厚さ方向と前後方向とが一致するように配置されている。カバー部材２１の外周面は、リング部材２０の内周面に固定されている。カバー部材２１の中心部には、長方形状の貫通穴２１ａが形成されている。貫通穴２１ａは、前後方向でカバー部材２１を貫通している。貫通穴２１ａは、フォーカスレンズ１９を透過して撮像素子５に入射する光線を通過させる。
【００３８】
カバー部材２１には、端子保持部材２２が配置される切欠き部が形成されている。この切欠き部は、カバー部材２１の外周端から径方向の内側に向かって円弧状に形成されている。また、この切欠き部は、カバー部材２１の下端側に形成されており、端子保持部材２２は、貫通穴２１ａの下側に配置されている。端子保持部材２２は、切欠き部に配置された状態でカバー部材２１に固定されている。また、端子保持部材２２の径方向の外側面は、リング部材２０の内周面に固定されている。
【００３９】
カバー部材２１の後面の、周方向における端子保持部材２２の一端側には、前側に向かって窪む凹部２１ｂが形成されている。凹部２１ｂの底面は、前後方向に直交する平面となっている。端子保持部材２２の後面は、凹部２１ｂの底面（すなわち、カバー部材２１の、凹部２１ｂが形成された部分の後面）よりも後ろ側に配置されている。周方向における端子保持部材２２の一端側（凹部２１ｂ側）には、２個の傾斜面２２ａ、２２ｂが形成されている。傾斜面２２ａ、２２ｂは、周方向における端子保持部材２２の中心に向かうにしたがって後ろ側へ向かうように傾斜している。また、径方向において、傾斜面２２ａは、後述の接続端子１７Ａが配列される列方向に沿う位置に形成され、傾斜面２２ｂは、後述の接続端子１７Ｂが配列される列方向に沿う位置に形成されている。
【００４０】
図３に示すように、傾斜面２２ｂの前端（周方向の外側端）は、周方向における凹部２１ｂの一端と隣接している。傾斜面２２ａは、傾斜面２２ｂよりも周方向における端子保持部材２２の中心側に配置されている。端子保持部材２２の、傾斜面２２ａの前端（周方向の外側端）と周方向における凹部２１ｂの一端との間には、前後方向に直交する平面２２ｃが形成されている。平面２２ｃは、凹部２１ｂの底面と略同一平面上に配置されている。
【００４１】
本形態では、凹部２１ｂは、カメラ本体２に対して交換レンズ３を回動させて交換レンズ３をカメラ本体２に着脱する際の、カバー部材２１の後面と接続端子７との接触を防止する機能を果たしている。凹部２１ｂの作用で、交換レンズ３をカメラ本体２に着脱する際に、カバー部材２１の後面に擦り傷が発生しないようになっている。また、傾斜面２２ａ、２２ｂは、カメラ本体２に対して交換レンズ３を回動させて交換レンズ３をカメラ本体２に取り付ける際に、接続端子７の前端と接続端子１７の後端とが凹部２１ｂと保持部材２２との間の段差で引っ掛かることなくスムーズに接触するように接続端子７を後ろ側へ移動させる機能を果たしている。なお、リング部材２０には、カメラ本体２に対する交換レンズ３の周方向の位置を決める位置決め用のストッパ部材２３が取り付けられている（図３参照）。
【００４２】
（接続端子の配置）
図４は、図２に示す接続端子７の配置を説明するための図である。図５は、図３に示す接続端子１７の配置を説明するための図である。
【００４３】
上述のように、カメラ本体２は、複数の接続端子７を備え、交換レンズ３は、複数の接続端子１７を備えている。本形態では、カメラ本体２は、１０個の接続端子７を備え、交換レンズ３は、１０個の接続端子７のそれぞれに接触する１０個の接続端子１７を備えている。なお、カメラ本体２が備える接続端子７の数は、１０個以外であっても良い。この場合には、交換レンズ３は、カメラ本体２が備える接続端子７の数と同数の接続端子１７を備えている。
【００４４】
図２、図４に示すように、１０個の接続端子７は、周方向に円弧状に配列されるとともに、円弧状に配列される接続端子７は、径方向において２列で配置されている。１０個の接続端子７のそれぞれに接触する１０個の接続端子１７も同様に、周方向に円弧状に配列されるとともに、円弧状に配列される接続端子１７は、径方向において２列で配置されている（図３、図５参照）。
【００４５】
本形態では、４個の接続端子７が一定の間隔で周方向に円弧状に配列され、この４個の接続端子７の、径方向の外側に残りの６個の接続端子７が一定の間隔で周方向に円弧状に配列されている。また、接続端子７の配置位置に対応するように、４個の接続端子１７が一定の間隔で周方向に円弧状に配列され、この４個の接続端子１７の、径方向の外側に残りの６個の接続端子１７が一定の間隔で周方向に円弧状に配列されている。すなわち、径方向の内側で円弧状に配列される接続端子７、１７の数は、径方向の外側で円弧状に配列される接続端子７、１７の数よりも少なくなっている。すなわち、円弧状に配列される接続端子７、１７の１列分の数は、径方向の内側に向かうにしたがって少なくなっている。
【００４６】
径方向の内側で円弧状に配列される４個の接続端子７のそれぞれを接続端子７Ａとし、径方向の外側で円弧状に配列される６個の接続端子７のそれぞれを接続端子７Ｂとすると、図４に示すように、前後方向から見たときに、４個の接続端子７Ａの中心は、交換レンズ３の光軸Ｌを曲率中心とする仮想円弧ＶＣ１上に配列され、６個の接続端子７Ｂの中心は、光軸Ｌを曲率中心とする仮想円弧ＶＣ２上に配列されている。すなわち、前後方向から見たときに、４個の接続端子７Ａと６個の接続端子７Ｂとは、同心状に配置されている。
【００４７】
同様に、径方向の内側で円弧状に配列される４個の接続端子１７のそれぞれを接続端子１７Ａとし、径方向の外側で円弧状に配列される６個の接続端子１７のそれぞれを接続端子１７Ｂとすると、図５に示すように、前後方向から見たときに、４個の接続端子１７Ａの中心は、仮想円弧ＶＣ１上に配列され、６個の接続端子１７Ｂの中心は、仮想円弧ＶＣ２上に配列されている。すなわち、前後方向から見たときに、４個の接続端子１７Ａと６個の接続端子１７Ｂとは、同心状に配置されている。
【００４８】
また、６個の接続端子７Ｂのうちの４個の接続端子７Ｂは、４個の接続端子７Ａの下側に配置されている。また、残りの２個の接続端子７Ｂのうちの１個の接続端子７Ｂは、４個の接続端子７Ａよりも周方向の一方側に配置され、残りの１個の接続端子７Ｂは、４個の接続端子７Ａよりも周方向の他方側に配置されている。同様に、６個の接続端子１７Ｂのうちの４個の接続端子１７Ｂは、４個の接続端子１７Ａの下側に配置され、残りの２個の接続端子１７Ｂのうちの１個の接続端子１７Ｂは、４個の接続端子１７Ａよりも周方向の一方側に配置され、残りの１個の接続端子１７Ｂは、４個の接続端子１７Ａよりも周方向の他方側に配置されている。
【００４９】
なお、径方向の内側で円弧状に配列される接続端子７Ａの数は、４個以外であっても良いし、径方向の外側で円弧状に配列される接続端子７Ｂの数は、６個以外であっても良い。同様に、径方向の内側で円弧状に配列される接続端子１７Ａの数は、４個以外であっても良いし、径方向の外側で円弧状に配列される接続端子１７Ｂの数は、６個以外であっても良い。たとえば、接続端子７、１７の数が１２個である場合には、図示の６個の接続端子７Ｂの両側に１個ずつ接続端子７Ｂを配置して、接続端子７Ｂを８個とすることができる。また、接続端子１７についても接続端子７に対応させて、図示の６個の接続端子１７Ｂの両側に１個ずつ接続端子１７Ｂを配置して、接続端子１７Ｂを８個とすることができる。
【００５０】
前後方向から見たときに、周方向で隣り合う接続端子７の周方向の間隔は、接続端子７の直径よりも小さくなっている。また、図４に示すように、前後方向から見たときに、径方向の内側で円弧状に配列される４個の接続端子７Ａの、径方向の外側端に接する仮想円弧ＶＣ３と、径方向の外側で円弧状に配列される６個の接続端子７Ｂの、径方向の内側端に接する仮想円弧ＶＣ４との径方向の距離Ｄ１は、接続端子７の直径よりも短くなっている。本形態の仮想円弧ＶＣ３は、第１の仮想円弧であり、仮想円弧ＶＣ４は、第２の仮想円弧である。
【００５１】
同様に、前後方向から見たときに、周方向で隣り合う接続端子１７の周方向の間隔は、接続端子１７の直径よりも小さくなっている。また、図５に示すように、前後方向から見たときに、径方向の内側で円弧状に配列される４個の接続端子１７Ａの、径方向の外側端に接する仮想円弧ＶＣ５と、径方向の外側で円弧状に配列される６個の接続端子１７Ｂの、径方向の内側端に接する仮想円弧ＶＣ６との径方向の距離Ｄ２は、接続端子１７の直径よりも短くなっている。本形態の仮想円弧ＶＣ５は、第５の仮想円弧であり、仮想円弧ＶＣ６は、第６の仮想円弧である。
【００５２】
上述のように、１０個の接続端子７を保持する端子保持部材１１は、基板保持部材９の下側に配置されており、交換レンズ３をカメラ本体２に装着した状態の撮像装置１を前後方向から見たときに、撮像素子５よりも下側に配置されている。すなわち、前後方向から見たときに、１０個の接続端子７と、１０個の接続端子７に接触する１０個の接続端子１７とは、撮像素子５よりも下側に配置されている。また、上述のように、撮像素子５の短辺に平行な方向が上下方向となっているため、前後方向から見たときに、１０個の接続端子７および１０個の接続端子１７は、撮像素子５の下側の長辺よりも下側に配置されている。また、撮像素子５の前面は、接続端子７の後端よりも前側に配置されている（図１参照）。
【００５３】
（本形態の主な効果）
以上説明したように、本形態の撮像装置１は、撮像素子５を有するカメラ本体２と、カメラ本体２に着脱可能に取り付けられる交換レンズ３とを備えている。また、カメラ本体２は、交換レンズ３とカメラ本体２とを電気的に接続するための１０個の接続端子７を備え、交換レンズ３は、１０個の接続端子７のそれぞれに接触する１０個の接続端子１７を備えている。また、接続端子７、１７は、交換レンズ３の周方向（光軸Ｌの周方向）に円弧状に配列されるとともに、円弧状に配列される接続端子７、１７は、交換レンズ３の径方向（光軸Ｌと直交する方向）において２列で配置されている。
【００５４】
このように本形態では、周方向に円弧状に配列される接続端子７、１７が径方向において２列で配置されているため、１０個の接続端子７、１７が周方向に円弧状に１列のみで配列されている場合と比較して、周方向に配列される接続端子７、１７の数を少なくして、周方向における接続端子７、１７の配列長さを短くすることが可能になる。したがって、本形態では、撮像素子５の大きさが比較的大きくても、前後方向（光軸方向）から見たときに、長方形状に形成される撮像素子５の角部と接続端子７、１７とが重ならないように、１０個の接続端子７、１７をより径方向の内側に配置することが可能になる。その結果、本形態では、撮像素子５の大きさが比較的大きくても径方向で撮像装置１を小型化することが可能になる。また、撮像素子５を小さくしなくても、接続端子７および接続端子１７を配置することが可能となる。つまり、交換レンズ３の径方向で撮像装置１を小型化することが可能となる。
【００５５】
なお、本形態では、接続端子１７が径方向において２列に配置されているが、仮に、接続端子１７が径方向において１列で配置されている場合には、凹部２１ｂの周方向の長さを接続端子１７の列の長さに応じて長くする必要がある。これに対し、本形態のように接続端子１７が径方向において２列に配置されていれば、凹部２１ｂの周方向の長さを短くできる。また、凹部２１ｂの周方向の長さを短くすることで、たとえば、カバー部材２１をレンズ鏡筒３へ取付けるための構造等の自由度を高くすることができる。
【００５６】
本形態のように、円弧状に配列される接続端子７、１７の１列分の数は、径方向の内側に向かうにしたがって少なくなっていることが好ましい。このようにすると、１０個の接続端子７、１７をより径方向の内側に配置しやすくなるため、径方向で撮像装置１をより小型化することが可能になる。
【００５７】
本形態のように、前後方向から見たときの撮像素子５の形状は長方形状となっており、前後方向から見たときに、１０個の接続端子７および１０個の接続端子１７は、撮像素子５の下側の長辺よりも下側に配置されていることが好ましい。このようにすると、前後方向から見たときに、長方形状に形成される撮像素子５の一方側の短辺の外側（左右方向の外側）に１０個の接続端子７および１０個の接続端子１７が配置されている場合と比較して、径方向で撮像装置１をより小型化することが可能になる。また、このようにすると、レンズ鏡筒１８の内部においてフォーカスレンズ１９の上側に配置される焦点調整機構と、接続端子１７との干渉を防止することが可能になる。なお、焦点調節機構がフォーカシングレンズ１９の下側に配置されている場合には、接続端子７、１７は撮像素子５の上側の長辺よりも上側に配置されても良い。この場合には、上側（Ｙ１方向側）が第１方向側となる。
【００５８】
本形態のように、前後方向から見たときの接続端子７、１７の形状は円形状となっているとともに、前後方向から見たときに、周方向で隣り合う接続端子７の周方向の間隔は、接続端子７の直径よりも小さくなっており、周方向で隣り合う接続端子１７の周方向の間隔は、接続端子１７の直径よりも小さくなっていることが好ましい。このようにすると、周方向における接続端子７、１７の配列長さをより短くすることが可能になる。そのため前後方向から見たときに、長方形状に形成される撮像素子５の角部と接続端子７、１７とが重ならないように、１０個の接続端子７、１７をより径方向の内側に配置しやすくなる。したがって、径方向で撮像装置１をより小型化することが可能になる。なお、周方向で隣り合う接続端子７の周方向の間隔は、接続端子７の直径の１／４以上であることが好ましい。周方向で隣り合う接続端子７の周方向の間隔が接続端子７の直径の１／４未満になると、隣接する接続端子７が塵挨等で短絡し易くなり好ましくないからである。同様に、周方向で隣り合う接続端子１７の周方向の間隔も、接続端子１７の直径の１／４以上であることが好ましい。
【００５９】
本形態のように、前後方向から見たときの接続端子７の形状は円形状となっているとともに、前後方向から見たときに、径方向の内側で円弧状に配列される４個の接続端子７Ａの、径方向の外側端に接する仮想円弧ＶＣ３と、径方向の外側で円弧状に配列される６個の接続端子７Ｂの、径方向の内側端に接する仮想円弧ＶＣ４との径方向の距離Ｄ１は、接続端子７の直径よりも短くなっていることが好ましい。また、前後方向から見たときの接続端子１７の形状は円形状となっているとともに、前後方向から見たときに、径方向の内側で円弧状に配列される４個の接続端子１７Ａの、径方向の外側端に接する仮想円弧ＶＣ５と、径方向の外側で円弧状に配列される６個の接続端子１７Ｂの、径方向の内側端に接する仮想円弧ＶＣ６との径方向の距離Ｄ２は、接続端子１７の直径よりも短くなっていることが好ましい。このようにすると、径方向で撮像装置１をより小型化しやすくなる。なお、距離Ｄ１は、接続端子７の直径の１／４以上であることが好ましい。距離Ｄ１が接続端子７の直径の１／４未満になると、径方向で隣接する接続端子７が塵挨等で短絡し易くなり好ましくないからである。同様に、距離Ｄ２も、接続端子１７の直径の１／４以上であることが好ましい。
【００６０】
本形態のように、前後方向から見たときに、撮像素子５は、１０個の接続端子７よりも上側（所定の第２方向の一方側）に配置されており、撮像素子５の前面は、接続端子７の後端よりも前側に配置されていることが好ましい。このようにすると、前後方向（光軸方向）において撮像装置１を小型化することが可能になる。すなわち、基板保持部材９の前面部９ｂを底面部材１０の開口１０ａの内側に配置できるため、撮像装置１を前後方向に小型化することが可能になる。また、前面部９ｂが開口１０ａの内側に配置されているため、前面部９ｂが開口１０ａよりも後方に配置されている場合に比較して、前面部９ｂと開口１０ａとの間から、底面部材１０の後ろ側に塵挨を入り難くすることが可能になる。
【００６１】
（接続端子の変形例）
図６は、本発明の他の実施の形態にかかる接続端子７の形状および配置を説明するための図である。図７は、本発明の他の実施の形態にかかる接続端子１７の形状および配置を説明するための図である。
【００６２】
上述した形態では、前後方向から見たときの接続端子７、１７の形状は円形状となっているが、前後方向から見たときの接続端子７、１７の形状は矩形状となっていても良い。たとえば、図６、図７に示すように、前後方向から見たときの接続端子７、１７の形状は正方形状となっていても良い。
【００６３】
前後方向から見たときの接続端子７の形状が矩形状となっている場合には、前後方向から見たときに、周方向で隣り合う接続端子７の周方向の間隔は、接続端子７の対角線の長さよりも小さくなっていることが好ましい。また、前後方向から見たときの接続端子１７の形状が矩形状となっている場合には、周方向で隣り合う接続端子１７の周方向の間隔は、接続端子１７の対角線の長さよりも小さくなっていることが好ましい。このように構成すると、周方向における接続端子７、１７の配列長さをより短くすることが可能になるため、前後方向から見たときに、長方形状に形成される撮像素子５の角部と接続端子７、１７とが重ならないように、接続端子７、１７をより径方向の内側に配置しやすくなる。したがって、径方向で撮像装置１をより小型化することが可能になる。
【００６４】
また、前後方向から見たときの接続端子７の形状が矩形状となっている場合には、図６に示すように、前後方向から見たときに、径方向の内側で円弧状に配列される４個の接続端子７Ａの、径方向の外側に配置される２個の角部は、光軸Ｌを曲率中心とする仮想円弧ＶＣ７上に配置され、径方向の外側で円弧状に配列される６個の接続端子７Ｂの、径方向の内側に配置される２個の角部は、光軸Ｌを曲率中心とする仮想円弧ＶＣ８上に配置されるとともに、仮想円弧ＶＣ７と仮想円弧ＶＣ８との径方向の距離Ｄ３は、接続端子７の対角線の長さよりも短くなっていることが好ましい。このように構成すると、径方向で撮像装置１をより小型化しやすくなる。また、この場合の仮想円弧ＶＣ７は、第３の仮想円弧であり、仮想円弧ＶＣ８は、第４の仮想円弧である。
【００６５】
また、前後方向から見たときの接続端子１７の形状が矩形状となっている場合には、図７に示すように、径方向の内側で円弧状に配列される４個の接続端子１７Ａの、径方向の外側に配置される２個の角部は、光軸Ｌを曲率中心とする仮想円弧ＶＣ９上に配置され、径方向の外側で円弧状に配列される６個の接続端子１７Ｂの、径方向の内側に配置される２個の角部は、光軸Ｌを曲率中心とする仮想円弧ＶＣ１０上に配置されるとともに、仮想円弧ＶＣ９と仮想円弧ＶＣ１０との径方向の距離Ｄ４は、接続端子１７の対角線の長さよりも短くなっていることが好ましい。このように構成すると、径方向で撮像装置１をより小型化しやすくなる。また、この場合の仮想円弧ＶＣ９は、第７の仮想円弧であり、仮想円弧ＶＣ１０は、第８の仮想円弧である。
【００６６】
なお、前後方向から見たときの接続端子７の形状が円形状となっており、かつ、前後方向から見たときの接続端子１７の形状が矩形状となっていても良い。また、前後方向から見たときの接続端子７の形状が矩形状となっており、かつ、前後方向から見たときの接続端子１７の形状が円形状となっていても良い。
【００６７】
（他の実施の形態）
上述した形態では、円弧状に配列される接続端子７、１７が径方向において２列で配置されているが、円弧状に配列される接続端子７、１７が径方向において３列で配置されていても良い。ただし、円弧状に配列される接続端子７、１７が径方向において２列で配置されていた方が径方向で撮像装置１をより小型化しやすくなる。なお、接続端子７、１７の径方向の列数が４列以上となると、却って撮像装置１の径方向の小型化が阻害され易くなる。
【００６８】
上述した形態では、接続端子７、１７は、周方向に円弧状に配列されているが、接続端子７、１７は、周方向に直線状に配列されていても良い。ただし、接続端子７、１７が周方向に円弧状に配列されている方が径方向で撮像装置１をより小型化しやすくなる。また、接続端子７、１７が周方向に円弧状に配列されている方が、カメラ本体２に交換レンズ３を着脱する際に端子保持部材２２に生じる擦り傷が目立ちにくくなる。
【００６９】
上述した形態では、周方向で隣り合う接続端子７、１７の間隔は一定の間隔となっているが、構成上の必要に応じて、周方向で隣り合う接続端子７、１７の一部の間隔が他の間隔と異なっていても良い。この場合には、周方向で隣り合う接続端子７、１７の一部の間隔が接続端子７、１７の直径より大きくなっていても良いが、周方向で隣り合う接続端子７、１７の全ての間隔が接続端子７、１７の直径より小さい方がより小型化しやすくなる。また、上述した形態では、周方向で隣り合う接続端子７、１７の直径は全て同一であるが、構成上の必要に応じて一部の接続端子７、１７の直径が他の接続端子７、１７の直径と異なっていても良い。この場合には、周方向で隣り合う接続端子７、１７の間隔が最も小さい接続端子７、１７の直径よりも小さくなっていることが好ましい。
【符号の説明】
【００７０】
１  撮像装置
２  カメラ本体
３  交換レンズ
５  撮像素子
７  接続端子（本体側接続端子）
１７  接続端子（レンズ側接続端子）
ＶＣ３  仮想円弧（第１の仮想円弧）
ＶＣ４  仮想円弧（第２の仮想円弧）
ＶＣ５  仮想円弧（第５の仮想円弧）
ＶＣ６  仮想円弧（第６の仮想円弧）
ＶＣ７  仮想円弧（第３の仮想円弧）
ＶＣ８  仮想円弧（第４の仮想円弧）
ＶＣ９  仮想円弧（第７の仮想円弧）
ＶＣ１０  仮想円弧（第８の仮想円弧）
Ｙ  第２方向
Ｙ２  第１方向側
Ｚ１  被写体側
Ｚ２  反被写体側
【図１】
2018056075.tif 000003
【図２】
2018056075.tif 000004
【図３】
2018056075.tif 000005
【図４】
2018056075.tif 000006
【図５】
2018056075.tif 000007
【図６】
2018056075.tif 000008
【図７】
2018056075.tif 000009
【国際調査報告】
2018056075.tif 000010
2018056075.tif 000011